(57)【特許請求の範囲】
【請求項１】
片面印刷機構を用いて一方の面に印刷を行った複数頁の出力媒体を利用者が給紙部にセットすると、該給紙部から前記各出力媒体を給紙して前記片面印刷機構により該各出力媒体の他方の面に印刷を行う画像形成装置であって、
前記複数頁の出力媒体の両面に印刷するための印刷ジョブを、該複数頁の出力媒体の奇数頁に印刷する印刷ジョブと、該複数頁の出力媒体の偶数頁に印刷する印刷ジョブとに分けて受け入れて、何れか一方の印刷ジョブに基づいて前記複数頁の出力媒体の一方の面に印刷し、しかる後、他方の印刷ジョブに基づいて前記給紙部にセットされた前記複数頁の出力媒体の他方の面に印刷するプリンタ・ユニットと、
用紙ジャム発生時において、利用者からの当該ジャム媒体の使用可否入力を受け入れる用紙使用可否判断受け入れ手段を有し、前記他方の印刷ジョブの印刷実行中に用紙ジャムが発生すると、当該他方の印刷ジョブを一時中断し、その後、利用者が前記用紙ジャムを排除し、前記用紙使用可否判断受け入れ手段が使用可を受け入れて前記ジャム媒体を利用者が前記給紙部にセットし直すと、前記ジャム媒体に対して当該他方の印刷ジョブの印刷を再開させ、一方、利用者が前記用紙ジャムを排除し、前記用紙使用可否判断受け入れ手段が使用不可を受け入れると、前記給紙部にセットした新たな出力媒体の両面に再生印刷するための再生印刷ジョブを要求し、当該再生印刷ジョブを実行した後に、当該他方の印刷ジョブを再開させるジャム復帰処理部とを備えることを特徴とする画像形成装置。
【請求項２】
請求項１に記載の画像形成装置と、
該画像形成装置から前記再生印刷ジョブを要求されると、前記用紙ジャムの発生した出力媒体に代えて前記新たな出力媒体の両面に再生印刷させるための前記再生印刷ジョブを生成し前記画像形成装置に送信する情報端末装置とを備えることを特徴とする画像形成システム。
【請求項３】
片面印刷機構を用いて一方の面に印刷を行った複数の出力媒体を利用者が給紙部にセットすると、該給紙部から前記各出力媒体を給紙して前記片面印刷機構により該各出力媒体の他方の面に印刷を行う画像形成装置であって、
利用者が複数の片面原稿を読取位置に載置すると、偶数頁及び奇数頁のいずれか一方の読取順に対応させた前記各片面原稿から第１の画像を順次読取り、その後、利用者が前記複数の片面原稿を再度、前記読取位置に載置すると、他方の読取順に対応させた各片面原稿から第２の画像を順次読取る第１のコピーモードと、
利用者が複数の両面原稿を前記読取位置に載置すると、該複数の両面原稿の一方の面から第１の画像を順次読取り、その後、利用者が前記複数の両面原稿を再度、前記読取位置に載置すると、該複数の両面原稿の他方の面から第２の画像を順次読取る第２のコピーモードとを利用者が選択可能なコピーモード選択部と、
前記読取った第１の各画像を前記給紙部にセットした複数の出力媒体の一方の面に印刷し、しかる後、利用者が前記複数の出力媒体を前記給紙部に再度セットすると、前記読取った第２の各画像を該各出力媒体の他方の面に印刷するプリンタユニットと、
用紙ジャム発生時において、利用者からの当該ジャム媒体の使用可否入力を受け入れる用紙使用可否判断受け入れ手段を有し、前記出力媒体の前記他方の面への印刷実行中に用紙ジャムが発生すると、当該印刷を一時中断し、その後、利用者が前記印刷ジャムを排除し、前記用紙使用可否判断受け入れ手段が使用可を受け入れて前記ジャム媒体を利用者が前記給紙部にセットし直すと、前記ジャム媒体の他方の面に対して印刷を再開させ、一方、利用者が前記用紙ジャムを排除し、前記用紙使用可否判断受け入れ手段が使用不可を受け入れると、前記給紙部にセットした新たな出力媒体の両面に再生印刷した後に、当該他方の面への印刷を再開させるジャム復帰処理部とを備えることを特徴とする画像形成装置。
【発明の詳細な説明】
【技術分野】
【０００１】
本発明は、手差し用紙による両面印刷が可能な画像形成装置、及び該画像形成装置を含む画像形成システムに関する。
【背景技術】
【０００２】
ＦＡＸ（ファクシミリ装置）、プリンタ、複写装置、ＭＦＰ（複合装置）等の画像形成装置では、用紙ジャム（媒体詰まり）が発生するのを完全に回避することは困難である。従って、用紙ジャム発生時に於いて、用紙ジャム排除後の印刷再開処理を容易にすることは重要な技術的課題の１つになっている。特に、自動両面印刷機構を備えず、手差し用紙により両面印刷を実行する装置にとっては、より一層重要な課題となっている。
【０００３】
手差し用紙により両面印刷を実行する画像形成装置では、一方の面のみについて全頁印刷を実行し、続いて、他方の面について全頁印刷を実行している。従って、他方の面を印刷中に用紙ジャムが発生した場合には、印刷完了している一方の面の印刷ジョブは既に消滅している。その結果、利用者は、他方の面を印刷中に用紙ジャムが発生すると、用紙ジャムを排除後に、一方の面の印刷ジョブを受け入れるために該印刷ジョブを送出した情報端末装置まで戻り、該印刷ジョブを生成させ、再度印刷処理を起動させる必要があった。
【特許文献１】特開平０８−３２４０５３号公報
【発明の開示】
【発明が解決しようとする課題】
【０００４】
従来の手差し用紙により両面印刷を実行する装置には、上記のように他方の面を印刷中に用紙ジャムが発生した場合には、用紙ジャム排除後の印刷再開処理において、利用者に対して大きな労力負担が伴うという解決すべき課題が残されていた。
【課題を解決するための手段】
【０００５】
第１の本発明は、片面印刷機構を用いて一方の面に印刷を行った複数頁の出力媒体を利用者が給紙部にセットすると、該給紙部から各出力媒体を給紙して片面印刷機構により該各出力媒体の他方の面に印刷を行う画像形成装置であって、複数頁の出力媒体の両面に印刷するための印刷ジョブを、該複数頁の出力媒体の奇数頁に印刷する印刷ジョブと、該複数頁の出力媒体の偶数頁に印刷する印刷ジョブとに分けて受け入れて、何れか一方の印刷ジョブに基づいて複数頁の出力媒体の一方の面に印刷し、しかる後、他方の印刷ジョブに基づいて給紙部にセットされた複数頁の出力媒体の他方の面に印刷するプリンタ・ユニットと、用紙ジャム発生時において、利用者からの当該ジャム媒体の使用可否入力を受け入れる用紙使用可否判断受け入れ手段を有し、他方の印刷ジョブの印刷実行中に用紙ジャムが発生すると、当該他方の印刷ジョブを一時中断し、その後、利用者が用紙ジャムを排除し、用紙使用可否判断受け入れ手段が使用可を受け入れてジャム媒体を利用者が給紙部にセットし直すと、ジャム媒体に対して当該他方の印刷ジョブの印刷を再開させ、一方、利用者が用紙ジャムを排除し、用紙使用可否判断受け入れ手段が使用不可を受け入れると、給紙部にセットした新たな出力媒体の両面に再生印刷するための再生印刷ジョブを要求し、当該再生印刷ジョブを実行した後に、当該他方の印刷ジョブを再開させるジャム復帰処理部とを備えることを主要な特徴とする。
【０００６】
第２の発明は、片面印刷機構を用いて一方の面に印刷を行った複数の出力媒体を利用者が給紙部にセットすると、該給紙部から各出力媒体を給紙して片面印刷機構により該各出力媒体の他方の面に印刷を行う画像形成装置であって、利用者が複数の片面原稿を読み取り位置に載置すると、偶数頁及び奇数頁のいずれか一方の読取順に対応させた各片面原稿から第１の画像を順次読取り、その後、利用者が複数の片面原稿を再度、読取り位置に載置すると、他方の読取り順に対応させた各片面原稿から第２の画像を順次読取る第１のコピーモードと、利用者が複数の両面原稿を読取り位置に載置すると、該複数の両面原稿の一方の面から第１の画像を順次読取り、その後、利用者が複数の両面原稿を再度、読取り位置に載置すると、該複数の両面原稿の他方の面から第２の画像を順次読取る第２のコピーモードとを利用者が選択可能なコピーモード選択部と、読み取った第１の各画像を給紙部にセットした複数の出力媒体の一方の面に印刷し、しかる後、利用者が複数の出力媒体を給紙部に再度セットすると、読取った第２の各画像を該各出力媒体の他方の面に印刷するプリンタユニットと、用紙ジャム発生時において、利用者からの当該ジャム媒体の使用可否入力を受け入れる用紙使用可否判断受け入れ手段を有し、出力媒体の他方の面への印刷実行中に用紙ジャムが発生すると、当該印刷を一時中断し、その後、利用者が印刷ジャムを排除し、用紙使用可否判断受け入れ手段が使用可を受け入れてジャム媒体を利用者が給紙部にセットし直すと、ジャム媒体の他方の面に対して印刷を再開させ、一方、利用者が用紙ジャムを排除し、用紙使用可否判断受け入れ手段が使用不可を受け入れると、給紙部にセットした新たな出力媒体の両面に再生印刷した後に、当該他方の面への印刷を再開させるジャム復帰処理部とを備えることを主要な特徴とする。
【発明の効果】
【０００７】
上記第１の発明はジャム復帰処理部を備え、一方の面の印刷が終わり他方の面の印刷中に用紙ジャムが発生すると、そのとき印刷中の印刷媒体の使用可否の判断を（利用者に）求め、使用可と判断された場合には、そのまま印刷処理を再開させ、使用不可と判断された場合には、出力媒体の両面を再生する再生印刷ジョブを（情報端末装置に対して）自動的に要求し、更に、該再生印刷ジョブに基づく手差し両面印刷の実行を（利用者に）求めるので、利用者に対して大きな労力負担が伴うことなく用紙ジャム排除後の印刷再開処理が出来るという効果を得る。
【０００８】
上記第２の発明はで上記第１のコピーモードでは、上記複数頁の片面原稿を所定の順番に載置し、載置順に上から１頁おきに読み取り印刷させて印刷順に積層出力させた後、再度上記複数頁の片面原稿を上記所定の順番に載置し、上記複数頁の片面原稿の内、読取印刷された残りの原稿を載置順に、上記印刷順に積層出力された出力媒体に印刷して出力させ、上記第２のコピーモードでは、上記複数枚の両面原稿それぞれの一方の面を所定の順番に載置し載置順に上から読み取り印刷させて、印刷順と逆に積層出力させた後、再度上記複数頁の両面原稿それぞれの他方の面を上記所定の順番と反対の順番に載置し、載置順に前記印刷順と逆に積層出力された出力媒体の裏面に印刷して出力させるスキャナ・ユニットを備えるので、より低価格で、記憶容量の大きいメモリを有していない画像形成装置を用いて、印刷ジョブをスキャナ・ユニットの読出しデータから生成する場合であっても、手差し両面印刷をより有効に利用出来るようになり用紙ジャム排除後の印刷再開処理を容易に実行できるという効果を得る。
【発明を実施するための最良の形態】
【０００９】
以下、本発明の一実施形態を図を用いて詳細に説明する。
【実施例１】
【００１０】
図１は、実施例１の画像形成システムの構成図である。
図に示すように、実施例１の画像形成システム１０００は、ネットワーク２５０を介して画像形成装置１００と情報端末装置２００とが通信接続して構成されている。
【００１１】
画像形成装置１００は、プリンタ・ユニット１０１と、スキャナ・ユニット１０２と、ファクシミリ・ユニット１０３と、装置状態監視部１０４と、ジョブ管理部１０５と、ジョブ情報記憶部１０６と、ジャム復帰処理部１０７と、入出力情報解釈部１０８と、パネル１０９と、通信Ｉ／Ｆ１１０とを備える。ここでは、画像形成装置１００は、自動両面印刷機構を備えず、手差し用紙により両面印刷を実行する装置であるものとする。
【００１２】
プリンタ・ユニット１０１は、ネットワーク２５０を介して情報端末装置２００から受け入れた印刷ジョブを印刷出力するユニットである。その内部に用紙ジャムを検出するジャム検知用センサ１０１ａを有している。ここで例示しているのは、自動両面印刷機構を備えず、手差し用紙により両面印刷を実行するユニットである。
【００１３】
スキャナ・ユニット１０２は、画像形成装置１００に載置された原稿画像を読み取って印刷ジョブを生成してプリンタ・ユニット１０１へ送出するユニットである。ファクシミリ・ユニット１０３は、ネットワーク２５０を介して図示しない他のファクシミリ装置からファクシミリ画像を受け入れて印刷ジョブを生成してプリンタ・ユニット１０１へ送出するユニットである。
【００１４】
装置状態監視部１０４は、図示しない所定のセンサを制御して、上記プリンタ・ユニット１０１、スキャナ・ユニット１０２、及びファクシミリ・ユニット１０３の稼動状態を監視する部分である。更に、用紙ジャムを検出すると、ジャム発生通知をジャム復帰処理部１０７へ通知するとともに、そのジャム発生通知をジョブ管理部１０５、入出力情報解釈部１０８、通信Ｉ／Ｆ１１０、及びネットワーク２５０を介して情報端末装置２００へ送信する部分でもある。
【００１５】
ジョブ管理部１０５は、ネットワーク２５０を介して受け入れた印刷ジョブからジョブ情報を取得してジョブ情報記憶部１０６へ格納したり、ネットワーク２５０を介して図示しない他のファクシミリ装置等へ送信する印刷ジョブにジョブ情報を付加して印刷ジョブを管理する部分である。更に、装置状態監視部１０４からジャム発生通知を受け入れると、入出力情報解釈部１０８、通信Ｉ／Ｆ１１０、及びネットワーク２５０を介して情報端末装置２００へ送信する部分でもある。
【００１６】
ジョブ情報記憶部１０６は、送受信される印刷ジョブ全体の頁数、印刷が両面印刷であるか、片面印刷であるか、印刷ジョブの送信元がどこであるか、等のジョブ情報を一時的に記憶しておくメモリである。
【００１７】
ジャム復帰処理部１０７は、その内部に用紙使用可否判断受け入れ手段１０７ａと、用紙使用可否判断結果通知手段１０７ｂと、印刷ジョブ再送信要求手段１０７ｃと、用紙手差し要求手段１０７ｄとを有し、用紙ジャム排除後の印刷再開処理を制御する部分である。
【００１８】
用紙使用可否判断受け入れ手段１０７ａは、用紙ジャム発生時において、一方の面が印刷完了済の用紙が再使用不可能になったか否かの判断を利用者からパネル１０９を介して受け入れる手段である。
【００１９】
用紙使用可否判断結果通知手段１０７ｂは、用紙使用可否判断受け入れ手段１０７ａが受け入れた、利用者による一方の面が印刷完了済の用紙の再使用可否判断結果を用紙使用可否判断結果通知として入出力情報解釈部１０８、通信Ｉ／Ｆ１１０、ネットワーク２５０を介して情報端末装置２００へ送信する手段である。
【００２０】
印刷ジョブ再送信要求手段１０７ｃは、用紙使用可否判断受け入れ手段１０７ａが受け入れた、利用者による一方の面が印刷完了後の用紙の再使用可否判断結果が再使用不可であった場合に、入出力情報解釈部１０８、通信Ｉ／Ｆ１１０を介して再使用不可とされた用紙の再印刷に必要な印刷ジョブ（再生印刷ジョブ）の再送信を印刷ジョブ再送信要求として情報端末装置２００へ送信する手段である。
【００２１】
用紙手差し要求手段１０７ｄは、用紙使用可否判断受け入れ手段１０７ａが受け入れた、利用者による一方の面が印刷完了済の用紙の再使用可否判断結果が再使用不可であった場合に、パネル１０９を介して利用者に新用紙による手差し両面印刷を求める手段である。
【００２２】
入出力情報解釈部１０８は、入出力データや通知の内容を解釈し、その内容に適合する処理（変復調など）を実行し、通信Ｉ／Ｆ１１０やパネル１０９を介して情報の入出力を行う部分である。パネル１０９は、画像形成装置１００と利用者との間でユーザインタフェースの役割を果たす操作パネルである。通信Ｉ／Ｆ１１０は画像形成装置１００とネットワーク２５０との間でネットワークインタフェースの役割を果たすインタフェース回路である。
【００２３】
情報端末装置２００は、その内部にジョブ生成部２０１と、ジョブ記憶部２０２と、状態判定部２０３とを備え、印刷ジョブを生成してネットワーク２５０を介して画像形成装置１００へ送信するパーソナルコンピュータなどの機器である。又、情報端末装置２００は、画像形成装置１００からネットワーク２５０を介して印刷ジョブの再送信要求を受け入れて、その要求に応じて該当する印刷ジョブ（再生印刷ジョブ）を生成して再送信する機器でもある。
【００２４】
ジョブ生成部２０１は、画像形成装置１００に適合するプリンタドライバを有し、利用者の入力するデータに基づいて印刷ジョブを生成する部分である。この印刷ジョブには、利用者の意思に基づいて、両面印刷指示が含まれる。
【００２５】
ジョブ記憶部２０２は、ジョブ生成部２０１により生成された印刷ジョブを一時格納するメモリである。画像形成装置１００からネットワーク２５０を介して印刷ジョブの再送信要求を受け入れると、該当する印刷ジョブが、このジョブ記憶部２０２から読み出されることになる。
【００２６】
状態判定部２０３は、印刷要求が手差し両面印刷であるか否かを判断し、手差し両面印刷であった場合にはネットワーク２５０を介して、画像形成装置１００に対して、手差し両面印刷要求通知を送信する部分である。また、ジャム発生通知など、画像形成装置１００からの通知や要求を受信して画像形成装置１００の状態を判定する部分でもある。
【００２７】
ネットワーク２５０は、画像形成装置１００と情報端末装置２００とを通信接続する通信線路である。通常はＬＡＮ（Ｌｏｃａｌ  Ａｒｅａ  Ｎｅｔｗｏｒｋ）等が用いられる。
【００２８】
以上説明した実施例１の画像形成システム１０００は、以下のように動作する。
図２は、実施例１の情報端末装置の動作フローチャートである。
図のステップＳ１０１からステップＳ１１３まで、図１を併用しながらステップ順に情報端末装置２００の動作について説明する。情報端末装置２００の動作について説明した後、続いて画像形成装置１００の動作について説明する。
【００２９】
利用者が、情報端末装置２００から手差し両面印刷機能を有する画像形成装置１００に対して印刷要求をすることによりフローは開始される。
ステップＳ１０１
印刷要求が手差し両面印刷であった場合にはステップＳ１０３へ進み、通常の印刷であった場合にはステップＳ１０２へ進む。
【００３０】
ステップＳ１０２
通常の印刷処理が実行されフローを終了する。ここで通常の印刷処理とは例えば片面印刷を意味し、従来から公知の技術なので説明を省略する。
【００３１】
ステップＳ１０３
状態判定部２０３は、印刷要求が手差し両面印刷であると判断し、ネットワーク２５０を介して、画像形成装置１００に対して、手差し両面印刷要求通知を送信してステップＳ１０４へ進む。
【００３２】
ステップＳ１０４
ジョブ生成部２０１は、印刷対象となっている文書データ、画像データ等から手差し両面印刷用の印刷ジョブを生成してジョブ記憶部２０２へ一時格納する。ここで手差し両面印刷用の印刷ジョブとは、印刷対象の奇数頁のみからなる奇数頁印刷ジョブと、印刷対象の偶数頁のみからなる偶数頁印刷ジョブの二つからなる。その理由は、奇数頁又は偶数頁の何れか一方の印刷ジョブを画像形成装置１００に送信して印刷を完了させ、しかる後、片面のみ印刷された用紙を裏返しさせ、残されたもう一方の印刷ジョブを画像形成装置１００に送信して両面印刷を完了させるためである。
【００３３】
ステップＳ１０５
一例として偶数頁印刷ジョブを先に処理する場合には、情報端末装置２００は、ジョブ記憶部２０２から偶数頁印刷ジョブを読み出し、ネットワーク２５０を介して画像形成装置１００へ送信する。画像形成装置１００の機構次第により偶数頁印刷ジョブまたは奇数頁印刷ジョブのどちらが先か決定される。ここでは１例として偶数頁印刷ジョブが先に送信されるものとする。
【００３４】
ステップＳ１０６
画像形成装置１００からネットワーク２５０を介してジャム発生通知を受信した場合にはステップＳ１０７へ進み、ジャム発生通知を受信せずに偶数頁印刷ジョブの処理が完了するとステップＳ１０８へ進む。
【００３５】
ステップＳ１０７
情報端末装置２００は、通常のジャム復帰処理を実行し、ステップＳ１０６へ戻る。図中の点線部分は通常の印刷処理の動作と同様であり、本発明に係るジャム復帰処理の機能は特に稼動していない。
【００３６】
ステップＳ１０８
情報端末装置２００は、奇数頁の印刷準備を開始し、画像形成装置１００からネットワーク２５０を介して偶数頁印刷ジョブの完了通知を受信するとステップＳ１０９へ進む。
【００３７】
ステップＳ１０９
情報端末装置２００は、ジョブ記憶部２０２から奇数頁印刷ジョブを読み出し、ネットワーク２５０を介して画像形成装置１００への送信を開始する。
【００３８】
ステップＳ１１０
状態判定部２０３が画像形成装置１００からネットワーク２５０を介してジャム発生通知を受信するとステップＳ１１１へ進み、奇数頁印刷ジョブの処理が完了するまでジャム発生通知を受信しない場合にはフローを終了する。
【００３９】
ステップＳ１１１
状態判定部２０３が画像形成装置１００からネットワーク２５０を介して用紙使用可否判断結果通知を受信し、用紙の再使用が可であった場合にはステップＳ１１２へ進み、用紙の再使用が不可であった場合にはステップＳ１１３へ進む。
【００４０】
ステップＳ１１２
情報端末装置２００は、利用者が用紙ジャムを排除した後、通常の印刷再開処理を実行し、ステップＳ１１０へ戻る。
【００４１】
ステップＳ１１３
状態判定部２０３が画像形成装置１００からネットワーク２５０を介して印刷ジョブ再送信要求を受け入れると、ジョブ生成部２０１は、該当する用紙の偶数頁、及び奇数頁を併せた手差し両面印刷処理用の再生印刷ジョブを生成してステップＳ１１４へ進む。
【００４２】
ステップＳ１１４
情報端末装置２００は、ステップＳ１１３で生成した該当する用紙の偶数頁、及び奇数頁を併せた両面印刷処理用の再生印刷ジョブを画像形成装置１００に送信して用紙ジャムの排除後の印刷再開処理を実行させてステップＳ１１０へ戻り、ステップＳ１１０からステップＳ１１３を繰り返しながら全頁の印刷を終了してフローを終了する。
【００４３】
図３は、実施例１の画像形成装置の動作フローチャートである。
続いて画像形成装置１００の動作について図のステップＳ２０１からステップＳ２１２まで、図１を併用しながらステップ順に説明する。
【００４４】
画像形成装置１００の電源がオンされ、印刷ジョブの受け入れが可能になった状態でフローは開始される。
【００４５】
ステップＳ２０１
通信Ｉ／Ｆ１１０がネットワーク２５０を介して情報端末装置２００から、印刷要求されている印刷ジョブを受信するとステップＳ２０２へ進む。
【００４６】
ステップＳ２０２
入出力情報解釈部１０８が、受信した印刷ジョブの内容を解釈し、その印刷ジョブが手差し両面印刷ジョブであつたときはステップＳ２０４へ進み、通常の印刷であったときはステップＳ２０３へ進む。
【００４７】
ステップＳ２０３
通常の印刷処理が実行されフローを終了する。
【００４８】
ステップＳ２０４
通信Ｉ／Ｆ１１０はネットワークを介して情報端末装置２００から、偶数頁印刷ジョブを受信する。このステップは、図２のステップＳ１０５とリンクする。
【００４９】
ステップＳ２０５
プリンタ・ユニット１０１は、通常の印刷処理を実行する。この通常の印刷処理の中で用紙ジャムが発生した場合には、通常の復帰方法に基づいて用紙ジャムが排除され、印刷再開処理が実行される。
【００５０】
ステップＳ２０６
偶数頁の印刷が全て終了したあと利用者が、片面のみ印刷済みの用紙をまとめて裏返して給紙トレイにセットし、残されたもう片面を印刷するための準備が完了し、パネル１０９を押すなどして奇数頁の印刷準備完了通知を、ネットワーク２５０を介して情報端末装置２００へ送信してステップＳ２０７へ進む。このステップＳ２０６は図２のステップＳ１０８にリンクする。
【００５１】
ステップＳ２０７
通信Ｉ／Ｆ１１０はネットワークを介して情報端末装置２００から、奇数頁印刷ジョブを受信し、プリンタ・ユニット１０１は、奇数頁印刷を開始する。このステップは、図２のステップＳ１０９とリンクする。
【００５２】
ステップＳ２０８
装置状態監視部１０４が奇数頁の印刷が完了するまで用紙ジャムを検出しなかった場合にはフローを終了する。一方、装置状態監視部１０４が用紙ジャムを検出したときはステップＳ２０９へ進む。
【００５３】
ステップＳ２０９
装置状態監視部１０４は、用紙ジャムの発生をジャム復帰処理部１０７へ通知するとともに、ジョブ管理部１０５、入出力情報解釈部１０８、通信Ｉ／Ｆ１１０、及びネットワーク２５０を介してジャム発生通知を情報端末装置２００へ送信してステップＳ２１０へ進む。このステップＳ２０９は、図２のステップＳ１１０へリンクする。
【００５４】
ステップＳ２１０
ジャム復帰処理部１０７は、パネル１０９を介して利用者に対して、用紙ジャムに該当している、偶数頁が印刷済の用紙の使用可否の判断を求め、再使用可の判断を受け入れたときはステップＳ２１１へ進み、再使用不可の判断を受け入れたときはステップＳ２１２へ進む。
【００５５】
ステップＳ２１１
利用者が用紙ジャムを排除した後、再使用可と判断した用紙を給紙トレイに給紙し直すと、ジャム復帰処理部１０７は、入出力情報解釈部１０８、通信Ｉ／Ｆ１１０、及びネットワーク２５０を介して情報端末装置２００へ用紙使用可否判断結果通知として用紙使用可を通知してステップＳ２０８へ進む。
【００５６】
ステップＳ２１２
利用者が用紙ジャムを排除した後、用紙再使用不可と判断した場合には、ジャム復帰処理部１０７が、ネットワーク２５０を介して情報端末装置２００に対して該当する印刷データ（再生印刷ジョブ）の再送信を要求する。更に、パネル１０９を介して利用者に新用紙による手差し両面印刷を要求する。通信Ｉ／Ｆ１１０は、情報端末装置２００が生成した該当する用紙の偶数面、及び奇数面を印刷する再生印刷ジョブを受信する。プリンタ・ユニット１０１は、この再生印刷ジョブを、利用者によって挿入された新用紙に印刷処理してステップＳ２０８へ進む。以下、ステップＳ２０８からステップＳ２１２を繰り返し、装置状態監視部１０４が奇数頁の印刷が完了するまで用紙ジャムを検出しなかった場合にはフローを終了する。
【００５７】
以上説明したように、本実施例によれば、利用者は、他方の面を印刷中に用紙ジャムが発生すると、用紙ジャムを排除後に、一方の面の印刷ジョブを受け入れるために該印刷ジョブを送出した情報端末装置まで戻り、該印刷ジョブを生成させ、再度印刷処理を起動させる必要がなくなる。その結果、用紙ジャムの排除後における利用者に対する印刷再開処理の労力を低減させることが出来るという効果を得る。
【実施例２】
【００５８】
上記実施例１では、印刷ジョブを情報端末装置２００のジョブ記憶部２０２に一時格納しておき、一方の面を印刷後、他方の面を印刷中に用紙ジャムが発生し、その用紙が再使用出来ないと判断された場合に、ジョブ生成部２０１が印刷済の一方の面の印刷ジョブをジョブ記憶部２０２から再度読み出して、該当する再使用できない用紙を再生するために、手差し両面印刷用の再生印刷ジョブを生成している。
【００５９】
しかし、印刷ジョブをスキャナ・ユニットの読出しデータから生成する場合には、上記のように情報端末装置２００のジョブ記憶部２０２を利用することは出来ない。本実施例の画像形成装置は、実施例１の機能に加えて、更に、印刷ジョブをスキャナ・ユニットの読出しデータから生成する場合であっても、容易に手差し印刷用の再生印刷ジョブが生成出来るようにすることを目的とする。この目的を達成するために本実施例の画像形成装置は以下のように構成される。
【００６０】
図４は、実施例２の画像形成システムの構成図である。
図に示すように、実施例２の画像形成システム２０００は、ネットワーク２５０を介して画像形成装置４００と情報端末装置２００とが通信接続して構成されている。以下に実施例１と相違する画像形成装置４００のみについて説明する。
【００６１】
画像形成装置４００は、プリンタ・ユニット１０１と、スキャナ・ユニット４０１と、ファクシミリ・ユニット１０３と、装置状態監視部１０４と、ジョブ管理部１０５と、ジョブ情報記憶部１０６と、ジャム復帰処理部４０５と、入出力情報解釈部１０８と、パネル１０９と、通信Ｉ／Ｆ１１０とを備える。ここでは、画像形成装置４００は、自動両面印刷機構を備えず、手差し用紙により両面印刷を実行する装置であるものとする。以下に、実施例１の機能に本実施例の機能を追加するために変更された部分、及び新たに追加された部分のみについて詳細に説明する。実施例１と同様の機能を果たす部分については実施例１と同一の符号を付して詳細な説明を省略する。
【００６２】
スキャナ・ユニット４０１は、コピーモード選択部４０２と、用紙セット確認部４０３と、読取枚数カウント部４０４とを有し、載置された原稿画像を読み取って印刷ジョブを生成してプリンタ・ユニット１０１へ送出するユニットである。
【００６３】
コピーモード選択部４０２は、印刷ジョブをスキャナ・ユニット４０１で生成する場合であっても、容易に手差し両面印刷用の再生印刷ジョブが生成出来るようにすることを目的として、［１］片面原稿から両面印刷を実行するモードと、［２］両面原稿から両面印刷を実行するモードと、二つのコピーモードを有する。このモードの詳細について説明するにあたり、まず画像形成装置４００の機構部分の概要について説明し、その後上記二つのモードの詳細について説明する。
【００６４】
図５は、実施例２の画像形成装置の外観図である。
（ａ）は内部主要構成部分の一部を透視した側面図であり、（ｂ）は正面図である。
図には、プリンタ・ユニット１０１とスキャナ・ユニット４０１が表されている。
【００６５】
（ａ）に示すように、プリンタ・ユニット１０１は、Ｃ（シアン）、Ｍ（マゼンタ）、Ｙ（イエロー）、Ｋ（ブラック）の印字塗料を用紙上に載せていくイメージドラム（３０１、３０２、３０３、３０４）と、印字塗料を用紙上に定着させる定着器３０５と、イメージドラム（３０１、３０２、３０３、３０４）に用紙を供給する給紙トレイ３０７と、印字塗料が定着された用紙を集積する排紙トレイ３０８と、排紙トレイ中における用紙の集積状態を設定する排紙トレイ状態選択機構３０９とを備えている。
【００６６】
（ａ）、（ｂ）に示すように、スキャナ・ユニット４０１は、画像形成装置４００に載置された原稿画像を読み取って印刷ジョブを生成してプリンタ・ユニット１０１へ送出するユニットであり、読取前の原稿用紙を載置する読取前原稿載置機構４０１ａと、原稿用紙から画像データを読み取る画像読取手段４０１ｂと、読取後の原稿用紙を載置する読取後原稿載置機構４０１ｃとを備えている。
【００６７】
次に、上記スキャナ・ユニット４０１が有する二つのコピーモードについて説明する。
最初に上記、［１］片面原稿から両面印刷を実行するモードについて、６枚の片面原稿を読み取って３枚の用紙に両面印刷する場合を例にあげて説明する。
【００６８】
図６は、コピーモード［１］の説明図である。
（ａ）は、給紙トレイ３０７に新用紙を載置し、スキャナ・ユニット４０１に片面原稿用紙６枚を最初の原稿の表面を一番上にして載置し、印刷出力の奇数頁（１Ｐ、３Ｐ、５Ｐ）印刷を開始した状態である。この状態で、排紙トレイ状態選択機構３０９の先端は、図に示すように排紙トレイ３０８の右壁に接触している。
【００６９】
その結果（ｂ）に示すように奇数頁印刷が終了した用紙は、印刷処理の早い頁から順に（図では、Ｐ１、Ｐ３、Ｐ５）排紙トレイ３０８の左壁から積載される。ここでは、片面原稿用紙の偶数枚目については画像読取手段４０１ｂ（図５（ｂ））が、稼動しないように構成されている。この画像読取手段４０１ｂ（図５（ｂ））及び排紙トレイ状態選択機構３０９の設定はコピーモード選択部４０２により実行される。
【００７０】
（ｃ）は、（ｂ）で排紙トレイ３０８の左壁から印刷処理の早い頁から順に（Ｐ１、Ｐ３、Ｐ５）積載された奇数頁（表面）印刷済の用紙を一括して取り出し、Ｐ１を最上位にして給紙トレイ３０７に載置し、スキャナ・ユニット４０１に片面原稿用紙６枚を最初の原稿の表面を一番上にして再度載置し２Ｐ、４Ｐ、６Ｐの順で偶数頁（裏面）印刷を開始した状態である。この状態で、排紙トレイ状態選択機構３０９の先端は、図に示すように排紙トレイ３０８の左壁に接触している。
【００７１】
その結果（ｄ）に示すように偶数頁印刷が終了した用紙は、印刷処理の早い頁から順に（図では、Ｐ２、Ｐ４、Ｐ６）排紙トレイ３０８の右壁から積載され、所望するＰ１とＰ２、Ｐ３とＰ４、Ｐ５とＰ６の両面印刷が完了する。ここでは、片面原稿用紙の奇数枚目については画像読取手段４０１ｂ（図５（ｂ））が、稼動しないように構成されている。この画像読取手段４０１ｂ（図５（ｂ））及び排紙トレイ状態選択機構３０９の設定はコピーモード選択部４０２により実行される。
【００７２】
続いて上記、［２］両面原稿から両面印刷を実行するモードについて、３枚の両面原稿を読み取って３枚の用紙に両面印刷する場合を例にあげて説明する。
【００７３】
図７は、コピーモード［２］の説明図である。
（ａ）は、給紙トレイ３０７に新用紙を載置し、スキャナ・ユニット４０１に両面原稿用紙３枚を最初の原稿の表面を一番上にして載置し、両面原稿の表面を積載順に印刷出力の１Ｐ、３Ｐ、５Ｐとして印刷を開始した状態である。この状態で、排紙トレイ状態選択機構３０９の先端は、図に示すように排紙トレイ３０８の左壁に接触している。
【００７４】
その結果（ｂ）に示すように奇数頁印刷が終了した用紙は、印刷処理の早い頁から順に（図では、Ｐ１、Ｐ３、Ｐ５）排紙トレイ３０８の右壁から積載される。
【００７５】
（ｃ）は、給紙トレイ３０７に（ｂ）で排紙トレイ３０８の右壁から印刷処理の早い頁から順に（Ｐ１、Ｐ３、Ｐ５）と積載された奇数頁印刷済の用紙を一括して取り出し、Ｐ５を最上位にして給紙トレイ３０７に載置し、スキャナ・ユニット４０１に両面原稿用紙３枚を最後の原稿の裏面を一番上にして載置し、印刷出力の６Ｐ、４Ｐ、２Ｐとして偶数頁印刷を開始した状態である。この状態で、排紙トレイ状態選択機構３０９の先端は、図に示すように排紙トレイ３０８の右壁に接触している。
【００７６】
その結果（ｄ）に示すように偶数頁印刷が終了した用紙は、印刷処理の早い頁から順に（図では、Ｐ６、Ｐ４、Ｐ２）排紙トレイ３０８の左壁から積載され、所望するＰ１とＰ２、Ｐ３とＰ４、Ｐ５とＰ６の両面印刷が完了する。
【００７７】
図４に戻って、用紙セット確認部４０３は、手差し両面印刷中に読取対象となっている原稿用紙及び印刷処理される用紙がセットされているかどうかを確認する部分である。読取枚数カウント部４０４は、スキャナ・ユニット４０１の画像読取手段４０１ｂ（図５（ｂ））が読み取った原稿用紙の枚数を計測している部分である。
【００７８】
ジャム復帰処理部４０５は、その内部にプリンタジャム復帰処理部４０６とコピージャム復帰処理部４０７とを有し、用紙ジャム排除後の印刷再開処理を制御する部分である。
【００７９】
プリンタジャム復帰処理部４０６は、その内部に図１に記載した用紙使用可否判断受け入れ手段１０７ａと、用紙使用可否判断結果通知手段１０７ｂと、印刷ジョブ再送信要求手段１０７ｃと、用紙手差し要求手段１０７ｄとを有し、実施例１に記載した用紙ジャム排除後の印刷再開処理を制御する部分であり、実施例１のジャム復帰処理部１０７と同様なので詳細な説明を省略する。
【００８０】
コピージャム復帰処理部４０７は、その内部に用紙使用可否判断受け入れ手段４０７ａと、手差し両面印刷要求手段４０７ｂとを有し、用紙ジャム排除後の印刷再開処理を制御する部分である。
【００８１】
用紙使用可否判断受け入れ手段４０７ａは、用紙ジャム発生時において、一方の面が印刷完了済の用紙が再使用不可能になったか否かの判断を利用者からパネル１０９を介して受け入れる手段である。
【００８２】
手差し両面印刷要求手段４０７ｂは、用紙使用可否判断受け入れ手段４０７ａが用紙使用不可の判断を受け入れたときパネル１０９を介して利用者に対して使用不可と判断された用紙を手差し両面印刷で再生することを求める手段である。
【００８３】
以上説明した画像形成装置４００は以下のように動作する。ここでは、コピージャム復帰の動作に限定して説明する。プリンタジャム復帰の動作については、実施例１で既に説明済なので説明を省略こする。
【００８４】
図８は、実施例２の画像形成装置の動作フローチャート
図のステップＳ３０１からステップＳ３２０まで、図４を併用しながらステップ順に説明する。
【００８５】
画像形成装置４００の利用者が装置に接近し、コピー動作を指示することにより、フローが開始される。
ステップＳ３０１
利用者が手差し両面印刷を指示している場合にはステップＳ３０３へ進み、通常のコピーを指示している場合にはステップＳ３０２へ進む。
【００８６】
ステップＳ３０２
画像形成装置４００は、通常のコピー動作を行ってフローを終了する。
【００８７】
ステップＳ３０３
利用者が片面原稿から両面印刷（コピーモード［１］）を求めている場合にはステップＳ３０４Ａへ進み、両面原稿から両面印刷（コピーモード［２］）を求めている場合にはステップＳ３０４Ｂへ進む。
【００８８】
ステップＳ３０４Ａ
コピーモード選択部４０２は、コピーモード［１］を設定し、利用者は、図６で説明したように給紙トレイ３０７に新用紙を載置し、スキャナ・ユニット４０１に片面原稿用紙を最初の原稿の表面を一番上にして載置し、ステップＳ３０５へ進む。
【００８９】
ステップＳ３０４Ｂ
コピーモード選択部４０２は、コピーモード［２］を設定し、利用者は、図７で説明したように給紙トレイ３０７に新用紙を載置し、スキャナ・ユニット４０１に両面原稿用紙を最初の原稿の表面を一番上にして載置し、ステップＳ３０５へ進む。
【００９０】
ステップＳ３０５
印刷出力の奇数頁の印刷が開始される（コピーモード［１］の場合は図６（ａ）、コピーモード［２］の場合は図７（ａ））。
【００９１】
ステップＳ３０６
装置状態監視部１０４が用紙ジャムの発生を検出するとパネル１０９に用紙ジャム発生通知を表示してステップＳ３０７へ進む。一方、奇数頁の印刷が全て完了すると装置状態監視部１０４がパネル１０９を介して利用者に奇数頁印刷完了を通知してステップＳ３０９へ進む。
【００９２】
ステップＳ３０７
利用者が給紙トレイ３０７（図６又は図７）に用紙を再セットし、印刷再開を指示し、用紙の再セットを用紙セット確認部４０３が確認するとステップＳ３０８へ進む。
【００９３】
ステップＳ３０８
読取枚数カウント部４０４は、再印刷開始頁を決定してパネル１０９を介して利用者に通知する。利用者はこの再印刷開始頁を確認して奇数頁印刷を再開させステップＳ３０６へ進む。
【００９４】
ステップＳ３０９
コピーモード［１］に設定されている場合にはステップＳ３１０へ進み、コピーモード［２］に設定されている場合にはステップＳ３１２へ進む。
【００９５】
ステップＳ３１０
利用者が、図６（ｃ）で説明したように、排紙トレイ３０８の左壁から印刷処理の早い頁から順に積載された奇数頁（表面）印刷済の用紙を一括して取り出し、印刷処理の一番早い頁を最上位にして給紙トレイ３０７に載置して（給紙準備［１］）ステップＳ３１１へ進む。
【００９６】
ステップＳ３１１
利用者が、図６（ｃ）で説明したようにスキャナ・ユニット４０１に片面原稿用紙を最初の原稿の表面を一番上にして再度載置してステップＳ３１４へ進む。
【００９７】
ステップＳ３１２
利用者が、図７（ｃ）で説明したように排紙トレイ３０８の右壁から印刷処理の早い頁から順に積載された奇数頁印刷済の用紙を一括して取り出し、印刷処理の一番遅い頁を最上位にして給紙トレイ３０７に載置して（給紙準備［２］）ステップＳ３１３へ進む。
【００９８】
ステップＳ３１３
利用者が、図７（ｃ）で説明したようにスキャナ・ユニット４０１に両面原稿用紙を最後の原稿の裏面を一番上にして再度載置してステップＳ３１４へ進む。
【００９９】
ステップＳ３１４
利用者が、パネル１０９を介して偶数頁の印刷を開始させる。
【０１００】
ステップＳ３１５
装置状態監視部１０４が用紙ジャムの発生を検出すると、ジャム発生通知をコピージャム復帰処理部４０７へ通知するとともにパネル１０９にジャム発生通知を表示してステップＳ３１６へ進む。一方、偶数頁の印刷が全て完了すると装置状態監視部１０４がパネル１０９を介して利用者にコピー完了を通知してフローを終了する。
【０１０１】
ステップＳ３１６
コピージャム復帰処理部４０７は、パネル１０９を介して利用者に奇数頁印刷済の用紙について再使用可否の判断を求め、利用者による再使用可の判断結果を受け入れるとステップＳ３１７へ進み、再使用不可の判断を受け入れるとステップＳ３２０へ進む。
【０１０２】
ステップＳ３１７
利用者が再使用可と判断した奇数頁印刷済の用紙を再セットし、パネル１０９を介して再セットを通知するとステップＳ３１８へ進む。
【０１０３】
ステップＳ３１８
用紙セット確認部４０３が、再セット通知を確認すると、読取枚数カウント部４０４は、プリンタ・ユニット１０１に再印刷開始頁を通知してステップＳ３１５へ進む。
【０１０４】
ステップＳ３１９
コピージャム復帰処理部４０７は、パネル１０９を介して利用者に対して、給紙トレイ３０７に新用紙のセットを求める。利用者がこの要求を受け入れて印刷処理の停止を指示すると、この状態で手差し印刷が可能になる。この状態では１頁ずつの手差し両面印刷が可能になっている。
【０１０５】
ステップＳ３２０
コピージャム復帰処理部４０７は、利用者は、再使用不可と判断した用紙を手差し両面印刷で再生してステップＳ３１５へ戻り、印刷が全て完了すると装置状態監視部１０４がパネル１０９を介して利用者に印刷完了を通知してフローを終了する。
【０１０６】
以上説明したように、本実施例によれば、より低価格で、記憶容量の大きいメモリを有していない画像形成装置を用いて、印刷ジョブをスキャナ・ユニットの読出しデータから生成する場合であっても、手差し両面印刷をより有効に利用出来るようになり用紙ジャム排除後の印刷再開処理を容易に実行できるという効果を得る。
【産業上の利用可能性】
【０１０７】
実施例では、本発明をＭＦＰに適用した場合に限定して説明したが、本発明は、この例に限定されるものではない。即ち、プリンタなど、情報処理端末に接続され、送信されるデータを入力として画像を出力して使用するものであるならば適用することが可能である。
【図面の簡単な説明】
【０１０８】
【図１】実施例１の画像形成システムの構成図である。
【図２】実施例１の情報端末装置の動作フローチャートである。
【図３】実施例１の画像形成装置の動作フローチャートである。
【図４】実施例２の画像形成システムの構成図である。
【図５】実施例２の画像形成装置の外観図である。
【図６】コピーモード［１］の説明図である。
【図７】コピーモード［２］の説明図である。
【図８】実施例２の画像形成装置の動作フローチャートである。
【符号の説明】
【０１０９】
１００    画像形成装置
１０１    プリンタ・ユニット
１０１ａ    ジャム検知用センサ
１０２    スキャナ・ユニット
１０３    ファクシミリ・ユニット
１０４    装置状態監視部
１０５    ジョブ管理部
１０６    ジョブ情報記憶部
１０７    ジャム復帰処理部
１０７ａ    用紙使用可否判断受け入れ手段
１０７ｂ    用紙使用可否判断結果通知手段
１０７ｃ    印刷ジョブ再送信要求手段
１０７ｄ    用紙手差し要求手段
１０８    入出力情報解釈部
１０９    パネル
１１０    通信Ｉ／Ｆ
２００    情報端末装置
２０１    ジョブ生成部
２０２    ジョブ記憶部
２０３    状態判定部
２５０    ネットワーク
１０００    画像形成システム
【図１】
0005080296.tif 000002
【図２】
0005080296.tif 000003
【図３】
0005080296.tif 000004
【図４】
0005080296.tif 000005
【図５】
0005080296.tif 000006
【図６】
0005080296.tif 000007
【図７】
0005080296.tif 000008
【図８】
0005080296.tif 000009